(57)【要約】  室外機と、室外機と冷媒配管を介して接続された複数の室内機と、室外機及び複数の室内機と通信可能に接続され、室外機及び複数の室内機を制御の管理下に置く集中管理装置と、を備えた空調システムであって、制御プログラムの書換時は、書換を行う対象の室内機への冷媒の流通を遮断し、かつ、その他の室内機を運転可能とした状態で、集中管理装置が対象の室内機の制御プログラムを書き換える。
2017175533.tif 000002
【特許請求の範囲】
【請求項１】
室外機（１）と、
前記室外機（１）と接続された複数の室内機（３，４，５）と、
前記室外機（１）及び前記複数の室内機（３，４，５）と通信可能に接続され、前記室外機（１）及び前記複数の室内機（３，４，５）を制御の管理下に置く集中管理装置（７）と、を備えた空調システムであって、
制御プログラムの書換時は、書換を行う対象の室内機（３，４又は５）への冷媒の流通を遮断し、かつ、その他の室内機を運転可能とした状態で、前記集中管理装置（７）が前記対象の室内機の制御プログラムを書き換える、空調システム。
【請求項２】
前記室外機（１）から指示を与えて前記対象の室内機（３，４又は５）における膨張弁（３ｅ，４ｅ又は５ｅ）を全閉させることにより、冷媒の流通を遮断する請求項１に記載の空調システム。
【請求項３】
冷暖同時機における流路切換ユニット（２３，２４，２５，２６）の液側に電動弁（２３ｅ，２４ｅ，２５ｅ，２６ｅ）を設け、前記室外機（１）から指示を与えて前記対象の室内機と接続された当該流路切換ユニットの当該電動弁を全閉させることにより、冷媒の流通を遮断する請求項１に記載の空調システム。
【請求項４】
前記集中管理装置（７）は、通信ネットワーク（９）を介して、書換用の前記制御プログラムを入手する請求項１に記載の空調システム。
【請求項５】
室外機（１）及びこれと接続された複数の室内機（３，４，５）を集中管理装置（７）の管理下に置く空調システムの制御プログラム書換方法であって、
前記集中管理装置（７）から前記室外機（１）に対して、対象の室内機（３，４又は５）の制御プログラムを書き換えることを通知し、
前記室外機（１）は、通常運転から制御プログラム書換時運転に移行して、前記対象の室内機（３，４又は５）の膨張弁（３ｅ，４ｅ又は５ｅ）を全閉させ、
前記集中管理装置（７）から前記対象の室内機（３，４又は５）について、制御プログラムの書換を実行し、
書換が完了すると、前記対象の室内機（３，４又は５）は、書換完了を前記室外機（１）に了知させ、
前記室外機（１）は、前記膨張弁（３ｅ，４ｅ又は５ｅ）の全閉を解除して、前記通常運転に戻る、
空調システムの制御プログラム書換方法。
【請求項６】
冷暖同時機の室外機（１１）と、
前記室外機（１１）と接続された複数の流路切換ユニット（２３，２４，２５，２６）と、
対応する前記流路切換ユニットを介して、前記室外機（１１）と接続された複数の室内機（１３，１４，１５，１６）と、
前記室外機（１１）、前記複数の流路切換ユニット（２３，２４，２５，２６）及び前記複数の室内機（１３，１４，１５，１６）と通信可能に接続され、前記室外機（１１）、前記複数の流路切換ユニット（２３，２４，２５，２６）及び前記複数の室内機（１３，１４，１５，１６）を制御の管理下に置く集中管理装置（７）と、を備えた空調システムであって、
制御プログラムの書換時は、書換を行う対象の流路切換ユニットへの冷媒の流通を遮断し、かつ、その他の室内機を運転可能とした状態で、前記集中管理装置（７）が前記対象の流路切換ユニットの制御プログラムを書き換える、空調システム。
【発明の詳細な説明】
【技術分野】
【０００１】
本発明は、１台の室外機について複数の室内機が接続されている空調システムにおいて制御プログラムを書き換える際の技術に関する。
【背景技術】
【０００２】
例えば、ビル用マルチエアコンとして使用されている空調システムでは、制御基板を交換しなくても、制御プログラムをバージョンアップすることができる（例えば、特許文献１参照。）。また、ユーザの要望に合わせて機能の一部を変更する、カスタマイズのための、制御プログラムの書換も可能である。
【先行技術文献】
【特許文献】
【０００３】
【特許文献１】国際公開番号ＷＯ２００２／０９５２９９
【発明の概要】
【発明が解決しようとする課題】
【０００４】
例えば、空調システム全体としては運転を停止させずに、複数の室内機のうち１台について、制御プログラムの書換を実行したい場合、当該１台については室内機の運転を停止させ、他の室内機は運転しているという状況下で、制御プログラムの書換が実行されることになる。ところが、制御プログラムの書換を実行すると、その書換中に当該室内機ではアクチュエータの動作が不定状態となる。その影響は、冷媒系統として繋がっている他の室内機にも及ぶ。書換に要する時間は、書き換える制御プログラムのデータ量にもよるが、例えば５分程度かかるため、その間の、他の室内機への影響は無視できない。【０００５】
従って、制御プログラムの書換対象となる室内機は１台であっても、他の室内機に影響を及ぼさないためには、冷媒系統で繋がっている空調システム全体を停止させる必要がある。これは、ユーザにとっては不便である。【０００６】
かかる従来の問題点に鑑み、本発明の目的は、室外機と複数の室内機とが冷媒系統で繋がっている空調システムにおいて、対象の室内機についての制御プログラムの書換を、他の室内機の運転に影響を与えることなく、実行できるようにすることである。
【課題を解決するための手段】
【０００７】
（１）本発明は、室外機と、前記室外機と接続された複数の室内機と、前記室外機及び前記複数の室内機と通信可能に接続され、前記室外機及び前記複数の室内機を制御の管理下に置く集中管理装置と、を備えた空調システムであって、制御プログラムの書換時は、書換を行う対象の室内機への冷媒の流通を遮断し、かつ、その他の室内機を運転可能とした状態で、前記集中管理装置が前記対象の室内機の制御プログラムを書き換える、空調システムである。【０００８】
このような空調システムでは、対象の室内機に対して、冷媒の流通を遮断することで、他の室内機への影響を排除しつつ、制御プログラムの書換を行うことができる。また、書換中でも、その他の室内機は通常運転をすることができる。【０００９】
（２）また、（１）の空調システムにおいて例えば、前記室外機から指示を与えて前記対象の室内機における膨張弁を全閉させることにより、冷媒の流通を遮断することができる。
室外機から指示を与えて対象の室内機における膨張弁を全閉させれば、制御プログラムが書き換えられる対象となる室内機には依存せず、確実に冷媒の流通を遮断することができる。【００１０】
（３）また、（１）の空調システムにおいて、冷暖同時機における流路切換ユニットの液側に電動弁を設け、前記室外機から指示を与えて前記対象の室内機と接続された当該流路切換ユニットの当該電動弁を全閉させることにより、冷媒の流通を遮断するようにしてもよい。
室外機から指示を与えて対象の室内機と接続された流路切換ユニットの電動弁を全閉させれば、制御プログラムが書き換えられる対象となる室内機には依存せず、確実に冷媒の流通を遮断することができる。【００１１】
（４）また、（１）の空調システムにおいて、前記集中管理装置は、通信ネットワークを介して、書換用の前記制御プログラムを入手するようにしてもよい。
この場合、作業員が空調システムの現場に赴いて制御プログラムの書換作業を実行しなくても、通信ネットワークを介して、制御プログラムの書換を実行することができる。【００１２】
（５）方法の観点からは、本発明は、室外機及びこれと接続された複数の室内機を集中管理装置の管理下に置く空調システムの制御プログラム書換方法であって、前記集中管理装置から前記室外機に対して、対象の室内機の制御プログラムを書き換えることを通知し、前記室外機は、通常運転から制御プログラム書換時運転に移行して、前記対象の室内機の膨張弁を全閉させ、前記集中管理装置から前記対象の室内機について、制御プログラムの書換を実行し、書換が完了すると、前記対象の室内機は、書換完了を前記室外機に了知させ、前記室外機は、前記膨張弁の全閉を解除して、前記通常運転に戻る、空調システムの制御プログラム書換方法である。【００１３】
このような空調システムの制御プログラム書換方法によれば、対象の室内機に対して、冷媒の流通を遮断することで、他の室内機への影響を排除しつつ、制御プログラムの書換を行うことができる。また、書換中でも、その他の室内機は通常運転をすることができる。【００１４】
（６）また、本発明は、冷暖同時機の室外機と、前記室外機と接続された複数の流路切換ユニットと、対応する前記流路切換ユニットを介して、前記室外機と接続された複数の室内機と、前記室外機、前記複数の流路切換ユニット及び前記複数の室内機と通信可能に接続され、前記室外機、前記複数の流路切換ユニット及び前記複数の室内機を制御の管理下に置く集中管理装置と、を備えた空調システムであって、制御プログラムの書換時は、書換を行う対象の流路切換ユニットへの冷媒の流通を遮断し、かつ、その他の室内機を運転可能とした状態で、前記集中管理装置が前記対象の流路切換ユニットの制御プログラムを書き換える、空調システムである。【００１５】
このような空調システムでは、対象の室内機に対して、冷媒の流通を遮断することで、他の室内機への影響を排除しつつ、制御プログラムの書換を行うことができる。また、書換中でも、その他の室内機は通常運転をすることができる。
【発明の効果】
【００１６】
本発明によれば、対象の室内機についての制御プログラムの書換を、他の室内機の運転に影響を与えることなく、実行することができる。
【図面の簡単な説明】
【００１７】
【図１】本発明の一実施形態に係る空調システムの構成の概要を示す図である。
【図２】制御プログラムの書換手順の一例を示す図である。
【図３】図１の空調システムに、インターネット経由で制御プログラムの書換を行う構成を付加した例を示す図である。
【図４】空調システムが冷暖同時機である場合の構成の一例を示す図である。
【発明を実施するための形態】
【００１８】
以下、本発明の一実施形態について、図面を参照して説明する。
《空調システムの構成》
図１は、本発明の一実施形態に係る空調システム１００の構成の概要を示す図である。このような空調システム１００は、例えば、ビル用マルチエアコンとして使用される。
図において、室外機１には、冷媒配管２を介して、複数の室内機３，４，５が接続されている。すなわち、室内機３，４，５は、室外機１を共有する冷媒系統を構成している。なお、ここでは３台の室内機３，４，５を示しているが、台数は図示の便宜上の一例を示しているに過ぎない。各室内機３，４，５にはそれぞれ、操作用のリモコン装置３ｒ，４ｒ，５ｒが接続されている。
【００１９】
冷媒配管２は、液冷媒が流れる液管２Ｌと、ガス冷媒が流れるガス管２Ｇとを備えている。例えば、室内機３内では、熱交換器３ｈと膨張弁（電子膨張弁）３ｅとが互いに直列に接続され、熱交換器３ｈは液管２Ｌ側に、膨張弁３ｅはガス管２Ｇ側に、それぞれ接続されている。室内機３の制御基板（図示せず。）に搭載されたフラッシュメモリ３ｍには制御プログラムが格納されている。室内機４，５についても同様に、熱交換器４ｈ、膨張弁４ｅ及びフラッシュメモリ４ｍ、並びに、熱交換器５ｈ、膨張弁５ｅ及びフラッシュメモリ５ｍが、それぞれ設けられている。
【００２０】
また、室外機１及び室内機３，４，５は、高速伝送方式で信号伝送を行う伝送線６を介して、相互に通信可能に接続されている。また、この伝送線６には、集中管理装置７が接続されている。集中管理装置７は、マイクロコンピュータを搭載し、例えばタッチパネル操作で各種の表示や操作が可能な装置であり、ビルの中央監視室等に設置される。
【００２１】
上記の空調システム１００では、共通の室外機１の下で、任意の室内機３，４，５を空調運転させることができる。
集中管理装置７は、室外機１及び室内機３，４，５を管理下に置き、稼働状況の監視及び、リモコン装置３ｒ，４ｒ，５ｒとは別に、各種の遠隔制御を行うことができる。また、集中管理装置７は、空調システム１００以外の外部装置との種々のインターフェース機能を備えている。例えば、ＬＡＮ（Local Area Network）接続、及び、ＵＳＢ（Universal Serial Bus）メモリ８等のＵＳＢ機器の接続が可能である。
【００２２】
《制御プログラムの書換》
次に、室内機３，４，５の運転中に、任意の１台の室内機の制御プログラムを書き換える方法（空調システム１００の機能でもある。）について説明する。ここで、例えば、室内機５について制御プログラムの書換を実行し、他の室内機３，４は、通常運転を行っているとする。書換用の新しい制御プログラムは、例えばＵＳＢメモリ８から集中管理装置７に与えることができる。
【００２３】
図２は、制御プログラムの書換手順の一例を示す図である。図の左側から順に、集中管理装置７、室外機１、対象の室内機５、及び、他の室内機３，４の動作を示している。書換の開始により、まず、集中管理装置７は、空調システム１００全体に、書換準備信号を送信する（ステップＳ１）。書換準備信号を受信した室外機１は、書換時運転に移行する（ステップＳ２）。書換準備信号には、制御プログラムの書換対象となる室内機を特定する情報も入っている。なお、室内機３，４，５は、書換準備信号を受信することができるが、これに対して特に反応しない。また、集中管理装置７は、その管理下にある室外機１及び室内機３，４，５の現在の状態を全て把握することができる。
【００２４】
次に、室外機１は、対象の室内機５の識別信号を付加した、膨張弁５ｅの全閉指示信号を送信する（ステップＳ３）。全閉指示信号を受信した対象の室内機５は、通常運転を行っていた場合にはこれを中断し、膨張弁５ｅを全閉にする（ステップＳ４）。膨張弁５ｅの全閉により、室内機５には冷媒が流れない状態、すなわち、冷媒系統から離脱した状態となる。
【００２５】
その後、集中管理装置７は、書換準備信号の送信から室内機５の膨張弁５ｅ全閉を経た適当なタイミングを見計らって、対象の室内機５に対して、制御プログラムの書換を実行する（ステップＳ５）。これにより、膨張弁５ｅを全閉とした状態で、室内機５の制御プログラムが新しい制御プログラムに書き換えられる。この間も、他の室内機３，４は、通常運転を行っているか又は、通常運転可能な状態にある。
【００２６】
制御プログラムの書換が完了すると、室内機５は、書換完了信号を空調システム１００全体に送信する（ステップＳ６）。続いて、室外機１は、対象の室内機５を識別する信号を付加した、膨張弁５ｅの全閉指示解除信号を送信する（ステップＳ７）。全閉指示解除信号を受信した対象の室内機５は、膨張弁５ｅの全閉を解除し、通常運転に戻る（ステップＳ８）。膨張弁５ｅの全閉解除により、室内機５には冷媒が流れ得る状態、すなわち、冷媒系統に復帰した状態となる。また、室外機１も通常運転に戻る（ステップＳ９）。これにより、制御プログラムの書換処理は終了となる。
【００２７】
なお、上記の場合、室内機５を対象とした制御プログラムの書換について説明したが、他の室内機３，４についても同様にして、制御プログラムの書換を行うことができる。
【００２８】
《まとめ》
このように、本実施形態の空調システム１００では、対象の室内機に対して、冷媒の流通を遮断することで、他の室内機への影響を排除しつつ、制御プログラムの書換を行うことができる。また、書換中も、その他の室内機は通常運転をすることができる。すなわち、対象の室内機についての制御プログラムの書換を、他の室内機の運転に影響を与えることなく、実行することができる。
【００２９】
また、本実施形態の空調システムでは、室外機１から指示を与えて対象の室内機における膨張弁又は当該室内機に接続された流路切換ユニットの電動弁を全閉させることにより、冷媒の流通を遮断する。このように、室外機から指示を与えて対象の室内機における膨張弁又は当該室内機に接続された流路切換ユニットの電動弁を全閉させれば、制御プログラムが書き換えられる対象となる室内機には依存せず、確実に冷媒の流通を遮断することができる。
なお、対象の室内機における膨張弁を全閉させる指令は、集中管理装置７から直接、対象の室内機に与えることも可能である。
【００３０】
《空調システムの他の構成》
図３は、図１の空調システム１００に、インターネット経由で制御プログラムの書換を行う構成を付加した例を示す図である。
図３が、図１と異なる点は、集中管理装置７がインターネット９を介してサーバ１０に接続されている点である。その他は、図１と同様である。図３に示す空調システム１００の場合、サーバ１０からインターネット９を介して集中管理装置７に、書換用の制御プログラムを提供し、集中管理装置７に、書換を実行させることができる。
【００３１】
この場合、集中管理装置７は、インターネット９を介して、書換用の制御プログラムを入手することができるので、作業員が空調システムの現場に赴いて制御プログラムの書換作業を実行しなくても、インターネット９を介して、制御プログラムの書換を実行することができる。
なお、インターネット９は典型的な通信ネットワークの例であるが、インターネットよりも局部的なイントラネット等で同様な遠隔での制御プログラムの書換を行うこともできる。
【００３２】
《その他》
（伝送線の利用）
上述のような制御プログラムの書換は、空調システム１００に元々設けられている伝送線６を用いて行うことができる。従って、対象となる室内機に直接、通信線を接続する必要が無い。また、制御プログラムの書換は、室外機についても行うことができる。室外機が伝送線を介して他の室外機と通信可能に接続されている場合は、他の室外機についても制御プログラムの書換を行うことができる。
【００３３】
（伝送速度）
通常運転では、空調システム１００を構成する機器間で互換性を保つために、共通の伝送速度で通信を行っている。そこで、制御プログラムの書換時は、空調システム１００全体の伝送速度を高めることにより、より迅速に、書換を完了させることができる。
【００３４】
（伝送の確実性）
書換用のデータ伝送の確実性を担保するために、データの先頭に、書き換えるブロックの目次アドレスを順番に付けて送信を行う。対象の室内機は、書き換えるべきブロックの全ての目次アドレスを受信し、欠番の目次アドレス無く書き換わったことを確認すれば、正しく書換が行われたと判断することができる。また、送信途中でデータ欠損があった場合には、どの部分に欠損があったのかを識別することができる。
【００３５】
（冷媒を遮断する構成の他の例）
なお、上記実施形態では、制御プログラムの書換時に、書換を行う対象となる室内機の膨張弁を閉じることにより冷媒の流通を遮断する構成としたが、これに限定されず、例えば室内機のケーシング外の冷媒配管（室内機に流出入する手前の液管等）に開閉弁を設けて、当該開閉弁を閉じることにより冷媒の流通を遮断する構成としてもよい。
また、この空調システムにおける空調機は、冷暖同時機であってもよい。冷暖同時機の場合には、例えば、冷媒を流さない室内機に対応する流路切換ユニットの弁を閉じることで、冷媒の流通を遮断するようにしてもよい。
【００３６】
図４は、空調システム１００が冷暖同時機である場合の構成の一例を示す図である。
図において、冷暖同時機の室外機１１からは、高圧ガス冷媒が流れる高圧ガス管１２ＨＧ、低圧ガス冷媒が流れる低圧ガス管１２ＬＧ、及び、高圧の液冷媒が流れる高圧液管１２ＬＱを介して、複数の流路切換ユニット２３，２４，２５，２６が接続されている。また、これらの流路切換ユニット２３，２４，２５，２６にはそれぞれ、複数の室内機１３，１４，１５，１６が接続されている。流路切換ユニット２３〜２６及び室内機１３〜１６は、室外機１を共有する冷媒系統を構成している。なお、ここでは４台の流路切換ユニット２３〜２６及び室内機１３〜１６を示しているが、台数は図示の便宜上の一例を示しているに過ぎない。
【００３７】
例えば、流路切換ユニット２３は、高圧ガス管１２ＨＧに接続される電動弁２３Ｈ、低圧ガス管１２ＬＧに接続される電動弁２３Ｌ、及び、高圧液管１２ＬＱに接続される電動弁２３ｅを備えている。また、流路切換ユニット２３は、制御基板２３ｐと、これに搭載されたフラッシュメモリ２３ｍとを備えている。
【００３８】
同様に、流路切換ユニット２４は、電動弁２４Ｈ，２４Ｌ，２４ｅ、並びに、制御基板２４ｐ及びフラッシュメモリ２４ｍを備えている。流路切換ユニット２５は、電動弁２５Ｈ，２５Ｌ，２５ｅ、並びに、制御基板２５ｐ及びフラッシュメモリ２５ｍを備えている。流路切換ユニット２６は、電動弁２６Ｈ，２６Ｌ，２６ｅ並びに、制御基板２６ｐ及びフラッシュメモリ２６ｍを備えている。
【００３９】
室内機１３内では、熱交換器１３ｈと膨張弁１３ｅとが互いに直列に接続されている。熱交換器１３ｈの一方（膨張弁１３ｅがある方）は、高圧液管１２ＬＱ側にあり、他方はガス管（高圧ガス管１２ＨＧ，低圧ガス管１２ＬＧ）側にある。また、室内機１２は、制御基板１３ｐと、これに搭載されたフラッシュメモリ１３ｍとを備えている。
【００４０】
同様に、室内機１４は、熱交換器１４ｈ、膨張弁１４ｅ、制御基板１４ｐ、フラッシュメモリ１４ｍを備えている。室内機１５は、熱交換器１５ｈ、膨張弁１５ｅ、制御基板１５ｐ、フラッシュメモリ１５ｍを備えている。室内機１６は、熱交換器１６ｈ、膨張弁１６ｅ、制御基板１６ｐ、フラッシュメモリ１６ｍを備えている。
【００４１】
室外機１１は、制御基板１１ｐを備えている。室外機１の制御基板１１ｐ及び流路切換ユニット２３〜２６のそれぞれの制御基板２３ｐ〜２６ｐは、伝送線６を介して、相互に通信可能に接続されている。また、この伝送線６には、集中管理装置７が接続されている。一方、室内機１３〜１６のそれぞれの制御基板１３ｐ〜１６ｐは、伝送線６ａを介して、対応する流路切換ユニット２３〜２６の制御基板と通信可能に接続されている。
【００４２】
上記の冷暖同時機の空調システム１００では、共通の室外機１１の下で、任意の室内機１３，１４，１５，１６を空調（冷房又は暖房）運転させることができる。
また、例えば、室内機１３について制御プログラムの書換を実行したいが、他の室内機１４〜１６は、通常運転を行っているとする。この場合、前述の図１〜図３の場合と同様の要領で書換を実行することができるが、膨張弁１３ｅと、電動弁２３ｅとは、互いに直列に接続されているので、いずれか一方を閉じることで、冷媒の流通を遮断することができる。他の室内機１４〜１６についても同様である。
【００４３】
また、流路切換ユニット２３〜２６のうち、制御プログラムを書き換えたい対象があれば、対象の流路切換ユニットの電動弁（２３ｅ，２４ｅ，２５ｅ，２６ｅのいずれか）を閉じて冷媒の流通を遮断した状態で、制御プログラムを書き換えることができる。この場合も、他の流路切換ユニットに接続されている室内機は、制御プログラムの書換中であっても運転可能である。
【符号の説明】
【００４４】
１：室外機、２：冷媒配管、２Ｇ：ガス管、２Ｌ：液管、３：室内機、３ｅ：膨張弁、３ｈ：熱交換器、３ｍ：フラッシュメモリ、３ｒ：リモコン装置、４：室内機、４ｅ：膨張弁、４ｈ：熱交換器、４ｍ：フラッシュメモリ、４ｒ：リモコン装置、５：室内機、５ｅ：膨張弁、５ｈ：熱交換器、５ｍ：フラッシュメモリ、５ｒ：リモコン装置、６，６ａ：伝送線、７：集中管理装置、８：ＵＳＢメモリ、９：インターネット、１０：サーバ、１１：室外機、１１ｐ：制御基板、１２ＨＧ：高圧ガス管、１２ＬＧ：低圧ガス管、１２ＬＱ：高圧液管、１３：室内機、１３ｅ：膨張弁、１３ｈ：熱交換器、１３ｐ：制御基板、１３ｍ：フラッシュメモリ、１４：室内機、１４ｅ：膨張弁、１４ｈ：熱交換器、１４ｐ：制御基板、１４ｍ：フラッシュメモリ、１５：室内機、１５ｅ：膨張弁、１５ｈ：熱交換器、１５ｐ：制御基板、１５ｍ：フラッシュメモリ、１６：室内機、１６ｅ：膨張弁、１６ｈ：熱交換器、１６ｐ：制御基板、１６ｍ：フラッシュメモリ、２３：流路切換ユニット、２３ｅ，２３Ｈ，２３Ｌ：電動弁、２３ｐ：制御基板、２３ｍ：フラッシュメモリ、２４：流路切換ユニット、２４ｅ，２４Ｈ，２４Ｌ：電動弁、２４ｐ：制御基板、２４ｍ：フラッシュメモリ、２５：流路切換ユニット、２５ｅ，２５Ｈ，２５Ｌ：電動弁、２５ｐ：制御基板、２５ｍ：フラッシュメモリ、２６：流路切換ユニット、２６ｅ，２６Ｈ，２６Ｌ：電動弁、２６ｐ：制御基板、２６ｍ：フラッシュメモリ、１００：空調システム
【図１】
2017175533.tif 000003
【図２】
2017175533.tif 000004
【図３】
2017175533.tif 000005
【図４】
2017175533.tif 000006
【国際調査報告】
2017175533.tif 000007
2017175533.tif 000008
2017175533.tif 000009
2017175533.tif 000010